(57)【要約】      （修正有）【課題】立った状態で、効率よりトンネル栽培のビニールの押え紐を固定する杭を打ち込むことができる杭打具の提供。【解決手段】一端を開放した内径３０〜８０ｍｍのパイプの内部に円柱状の重しを挿入し、重しの片側に７００ｍｍ〜１５００ｍｍ長の押し棒を接合しこの押し棒を前述パイプ蓋部に貫通した穴から外部に突出させパイプ内の重しが外部に露出しない位置に止め具を取り付けビニールの固定紐を固定しやすいように杭の頭部５ｃｍ程残すようにした。【選択図】図１
0003132653.tif 000002
【実用新案登録請求の範囲】
【請求項１】
一端が開放された内径３０〜８０ｍｍのパイプの内部に円柱状の重しを挿入し、重しの片側に７００〜１５００ｍｍ長の押し棒を接合し、この押し棒は前記パイプの蓋部に貫通した穴から外部に突出させ、パイプ内の重しが外部に露出しない位置に、止め具を取り付けたことを特徴とする杭打ち具。
【請求項２】
パイプの開放された面にリング状の安定板を取り付けたことを特徴とする請求項１記載の杭打ち具
【請求項３】
押し棒の一部に握り部を設けたことを特徴とする請求項２記載の杭打ち具
【考案の詳細な説明】
【技術分野】
【０００１】  本考案はトンネル栽培用のビニールの押さえ紐を固定するための杭を打ちつける杭打ち具に関するものである。
【背景技術】
【０００２】  トンネル栽培用のビニールがけをするには、まずビニールの紐を固定するための杭を一定間隔で打ち込む必要がある。従来は作業者が木槌、金槌等を用いて杭の一本一本毎に立ったり、しゃがんだりしながら土中に打ち込んでいた。
【考案の開示】
【考案が解決しようとする課題】
【０００３】  杭を一本一本作業者が金槌等で土中に打ち込む作業は、立ったりしゃがんだりする必要があり、膝や腰を痛めたり、肩がこったり、また手首を痛めて腱鞘炎を起こしたりしていた。作業効率も悪く、更に杭を金槌で打ちつける際の角度が狂うと、杭が曲がって使えなくなるという問題があった。
【課題を解決するための手段】
【０００４】  一端が開放された内径３０〜８０ｍｍのパイプの内部に円柱状の重しを挿入し、重しの片側に７００〜１５００ｍｍ長の押し棒を接合し、この押し棒は前記パイプの蓋部に貫通した穴から外部に突出させ、パイプ内の重しが外部に露出しない位置に、止め具を取り付けたことにより、立った状態でトンネル栽培用のビニールの押え紐を固定する杭を打つことが出来るようにしたことで問題点を解決するものである。【０００５】  更にパイプの開放された面にリング状の安定板を取り付けたことにより角度がぐらつかずに一定方向に安定した杭打ち作業を可能にしたものである。【０００６】  また押し棒の一部に握り部を設けたことで重しを上下させて打ち込む作業を楽にし、長時間作業しても疲れにくいのが特徴である。
【考案の効果】
【０００７】  立った状態で押し棒を両手で縦にスライドしながら杭打ちが出来膝や腰の痛みもなく手首の腱鞘炎の心配もない円柱状の筒で、杭を固定する為杭の折れや曲がりの損傷が１本も出なくなった又、円柱状のパイプの底部にリング状の安定板をつけることにより土中に杭を打ち込む際のぐらつきもなくなりねらった方向に真直に杭を打ち込む事が出来るまた、押し棒に止め具をつけたことでビニールの押え紐を固定する杭の頭部を５ｃｍ位残し一定して杭を打てるようになった。さらに立った状態で作業ができ移動も、らくで時間的に倍以上の杭を打てるものである。
【考案を実施する為の最良の形態】
【０００８】  一端が開放された内径３０ｍｍ〜８０ｍｍのパイプの内部に円柱状の重しを挿入し、重しの片側に７００ｍｍ〜１５００ｍｍの押し棒を接合しこの押し棒は前述パイプの蓋部に貫通した穴から外部に突出させさらに押し棒の長さは立った状態と両手で杭打ち作業が出来る位置に握り部を設定したものである。
【実施例】
【０００９】  以下添付図面に従って実施例を説明する。図２は杭打ち開始である。あらかじめ所定の位置に１本１本配布杭をたおれない程度にたてる  円柱状のパイプを杭の頭部よりかぶせ杭を固定し押し棒の握り部を両手で持ち、押し棒を縦に上下して筒内の重しで杭を打つものである。【００１０】  図３は杭を打ち終えた状態を示す。ビニールの押え紐を固定する為杭の頭部を５ｃｍ位残す必要があり、パイプ内の重しが外部に露出しないように押し棒に止め金具をつけたことにより杭の頭部が５ｃｍ程一定して残り立った状態で杭打ちが出来さらに押え紐の固定作業も楽に出来るようになった。【００１１】  円柱状パイプの底面に取り付けた安定板７は杭打ち具の埋没を防ぐのと杭を打ち込む際に重しをガイドする円柱状パイプが左右にぐらつかない様にする為の補助板であり、安定板７の厚みにより杭の頭部の押し込み状態の微調整も可能である。
【図面の簡単な説明】
【００１２】
【図１】本考案の杭打ち具の全体図を示したものである。
【図２】本考案に係る杭打ち具により土中に立てた杭を打ち込む前の状態を示すものである。
【図３】本考案に係る杭打ち具により、杭を土中に打ち込んだ状態を示すものである
【符号の説明】
【００１３】１  握り部
２  押し棒
３  止め具
４  上蓋
５  円柱状パイプ
６  重し
７  安定板
８  杭
【図１】
0003132653.tif 000003
【図２】
0003132653.tif 000004
【手続補正書】
【提出日】平成18年10月20日(2006.10.20)
【手続補正１】
【補正対象書類名】明細書
【補正対象項目名】全文
【補正方法】変更
【補正の内容】
【考案の詳細な説明】
【技術分野】
【０００１】  本考案はトンネル栽培用のビニールの押さえ紐を固定するための杭を打ちつける杭打ち具に関するものである。
【背景技術】
【０００２】  トンネル栽培用のビニールがけをするには、まずビニールの紐を固定するための杭を一定間隔で打ち込む必要がある。従来は作業者が木槌、金槌等を用いて杭の一本一本毎に立ったり、しゃがんだりしながら土中に打ち込んでいた。
【考案の開示】
【考案が解決しようとする課題】
【０００３】  杭を一本一本作業者が金槌等で土中に打ち込む作業は、立ったりしゃがんだりする必要があり、膝や腰を痛めたり、肩がこったり、また手首を痛めて腱鞘炎を起こしたりしていた。作業効率も悪く、更に杭を金槌で打ちつける際の角度が狂うと、杭が曲がって使えなくなるという問題があった。
【課題を解決するための手段】
【０００４】  一端が開放された内径３０〜８０ｍｍのパイプの内部に円柱状の重しを挿入し、重しの片側に７００〜１５００ｍｍ長の押し棒を接合し、この押し棒は前記パイプの蓋部に貫通した穴から外部に突出させ、パイプ内の重しが外部に露出しない位置に、止め具を取り付けたことにより、立った状態でトンネル栽培用のビニールの押え紐を固定する杭を打つことが出来るようにしたことで問題点を解決するものである。【０００５】  更にパイプの開放された面にリング状の安定板を取り付けたことにより角度がぐらつかずに一定方向に安定した杭打ち作業を可能にしたものである。【０００６】  また押し棒の一部に握り部を設けたことで重しを上下させて打ち込む作業を楽にし、長時間作業しても疲れにくいのが特徴である。
【考案の効果】
【０００７】  立った状態で押し棒を両手で縦にスライドしながら杭打ちが出来膝や腰の痛みもなく手首の腱鞘炎の心配もない円柱状の筒で、杭を固定する為杭の折れや曲がりの損傷が１本も出なくなった又、円柱状のパイプの底部にリング状の安定板をつけることにより土中に杭を打ち込む際のぐらつきもなくなりねらった方向に真直に杭を打ち込む事が出来るまた、押し棒に止め具をつけたことでビニールの押え紐を固定する杭の頭部を５ｃｍ位残し一定して杭を打てるようになった。さらに立った状態で作業ができ移動も、らくで時間的に倍以上の杭を打てるものである。
【考案を実施する為の最良の形態】
【０００８】  一端が開放された内径３０ｍｍ〜８０ｍｍのパイプの内部に円柱状の重しを挿入し、重しの片側に７００ｍｍ〜１５００ｍｍの押し棒を接合しこの押し棒は前述パイプの蓋部に貫通した穴から外部に突出させさらに押し棒の長さは立った状態と両手で杭打ち作業が出来る位置に握り部を設定したものである。
【実施例】
【０００９】  以下添付図面に従って実施例を説明する。図２は杭打ち開始である。あらかじめ所定の位置に１本１本配布杭をたおれない程度にたてる  円柱状のパイプを杭の頭部よりかぶせ杭を固定し押し棒の握り部を両手で持ち、押し棒を縦に上下して筒内の重しで杭を打つものである。【００１０】  図３は杭を打ち終えた状態を示す。ビニールの押え紐を固定する為杭の頭部を５ｃｍ位残す必要があり、パイプ内の重しが外部に露出しないように押し棒に止め金具をつけたことにより杭の頭部が５ｃｍ程一定して残り立った状態で杭打ちが出来さらに押え紐の固定作業も楽に出来るようになった。【００１１】  円柱状パイプの底面に取り付けた安定板７は杭打ち具の埋没を防ぐのと杭を打ち込む際に重しをガイドする円柱状パイプが左右にぐらつかない様にする為の補助板であり、安定板７の厚みにより杭の頭部の押し込み状態の微調整も可能である。
【図面の簡単な説明】
【００１２】
【図１】本考案の杭打ち具の全体図を示したものである。
【図２】本考案に係る杭打ち具により土中に立てた杭を打ち込む前の状態を示すものである。
【図３】本考案に係る杭打ち具により、杭を土中に打ち込んだ状態を示すものである
【符号の説明】
【００１３】１  握り部
２  押し棒
３  止め具
４  上蓋
５  円柱状パイプ
６  重し
７  安定板
８  杭
【手続補正２】
【補正対象書類名】図面
【補正対象項目名】全図
【補正方法】変更
【補正の内容】
【図１】
0003132653.tif 000005
【図２】
0003132653.tif 000006
【図３】
0003132653.tif 000007